(57)【要約】【課題】本発明は、タンク内の燃料量が過剰な状態となったときであっても瞬時に燃料レベルを低下させ、このような状態を解消することのできるオイルタンク油量制御装置を提供することを課題とする。【解決手段】オイルタンク油量制御装置は、潤滑ポンプによりオイルタンクからエンジン潤滑系へ燃料を供給する潤滑系燃料供給経路、噴射ポンプによりオイルタンクから噴射系へ燃料を供給する噴射系燃料供給経路、噴射系燃料供給経路に供給した後の噴射系リターン燃料を燃料タンクへ戻す噴射系燃料リターン経路を備えたエンジンに装着される。オイルタンク油量制御装置は、噴射系をバイパスするバイパス経路、このバイパス経路への燃料の流入を制御する開閉弁、オイルタンク内の油量を検知するオイルレベルセンサを備え、その検出値に基づいて開閉弁の開閉制御を行う開閉弁制御手段を備えている。【選択図】図１
2007113499.tif 000002
【特許請求の範囲】
【請求項１】
供給ポンプにより燃料タンクからオイルタンクへ燃料を供給する燃料供給経路と、
潤滑ポンプにより前記オイルタンクからエンジン潤滑系へ燃料を供給する潤滑系燃料供給経路と、
噴射ポンプにより前記オイルタンクから噴射系へ燃料を供給する噴射系燃料供給経路と、
前記噴射系燃料供給経路に供給した後の噴射系リターン燃料を燃料タンクへ戻す噴射系燃料リターン経路と、を備えた軽油等燃料潤滑ディーゼルエンジンのオイルタンク油量制御装置であって、
前記噴射系燃料供給経路と前記噴射系燃料リターン経路とを接続して前記噴射系をバイパスするバイパス経路と、
当該バイパス経路への燃料の流入を制御する開閉弁と、
前記オイルタンク内の油量を検知するオイルレベルセンサと、
当該オイルレベルセンサの検出値に基づいて前記開閉弁の開閉制御を行う開閉弁制御手段と、
を備えたことを特徴とするオイルタンク油量制御装置。
【請求項２】
請求項１記載のオイルタンク油量制御装置において、
前記バイパス通路は、前記噴射ポンプ内に組み込まれた低圧ポンプの下流から分岐していることを特徴とするオイルタンク油量制御装置。
【請求項３】
供給ポンプにより燃料タンクからオイルタンクへ燃料を供給する燃料供給経路と、
潤滑ポンプにより前記オイルタンクからエンジン潤滑系へ燃料を供給する潤滑系燃料供給経路と、
噴射ポンプにより前記オイルタンクから噴射系へ燃料を供給する噴射系燃料供給経路と、
前記噴射系燃料供給経路に供給した後の噴射系リターン燃料を燃料タンクへ戻す噴射系燃料リターン経路と、を備えた軽油等燃料潤滑ディーゼルエンジンのオイルタンク油量制御装置であって、
前記オイルタンク内の油量を検知するオイルレベルセンサと、
前記噴射ポンプにより供給された高圧燃料を貯留するコモンレールに装着された減圧弁と、
当該オイルレベルセンサの検出値に基づいて前記噴射ポンプの圧送量及び前記減圧弁からのリターン燃料量を制御するリターン燃料量制御手段と、
を備えたことを特徴とするオイルタンク油量制御装置。
【請求項４】
軽油等の燃料を潤滑剤として兼用し、
供給ポンプにより燃料タンクからオイルタンクへ燃料を供給する燃料供給経路と、
潤滑ポンプにより前記オイルタンクからエンジン潤滑系へ燃料を供給する潤滑系燃料供給経路と、
噴射ポンプにより前記オイルタンクから噴射系へ燃料を供給する噴射系燃料供給経路と、
前記噴射系燃料供給経路に供給した後の噴射系リターン燃料を燃料タンクへ戻す噴射系燃料リターン経路と、を備えると共に、
請求項１乃至３のいずれか一項記載のオイルタンク油量制御装置を備えたことを特徴とする軽油等燃料潤滑ディーゼルエンジン。
【発明の詳細な説明】
【技術分野】
【０００１】
本発明は、軽油等の燃料を潤滑剤として兼用する軽油等燃料潤滑ディーゼルエンジンへ供給される燃料を貯留するオイルタンク内の油量を制御するオイルタンク油量制御装置及び軽油等燃料潤滑ディーゼルエンジンに関するものである。
【背景技術】
【０００２】
従来、燃料タンクとディーゼルエンジンとの間に気泡分離を行うリザーバを配設し、そのリザーバとエンジンとの間に潤滑系燃料循環回路と、燃焼系燃料循環回路とを構成した軽油潤滑式ディーゼルエンジンが開示されている（特許文献１）。このような軽油潤滑式ディーゼルエンジンでは、燃料となる軽油がエンジン各部の潤滑剤としても用いられ、エンジン各部を循環する。このため、潤滑専用のオイルは不要であり、オイル交換の手間も省くことができる。
【０００３】
図６は、特許文献１に記載された燃料潤滑式ディーゼルエンジン１００の主として燃料供給部分の概略構成を示した説明図である。燃料潤滑式ディーゼルエンジン１００は、燃料タンク１０１、リザーバタンク１０２、オイルパン（オイルタンク）１０３を備えている。燃料タンク１０１とリザーバタンク１０２とは、セジメンタ（油水分離器）１０４、供給ポンプ（送油ポンプ）１０５を備えた油路１０６により連通している。
【０００４】
燃料潤滑式ディーゼルエンジン１００は、潤滑剤の供給を必要とするエンジン各部１０７へ潤滑剤としての燃料を供給する潤滑系燃料循環回路１０８を有している。この潤滑系燃料供循環回路１０８には、冷却器１１２、フィルタ１０９、潤滑ポンプ１１０が配設されており、潤滑ポンプ１１０を駆動することにより燃料をリザーバタンク１０２から吸い上げてエンジン各部１０７へ供給している。エンジン各部１０７へ供給された後の燃料は、オイルパン１０３内へ流下し、スカベンジポンプ１１１により吸い上げられて再びリザーバタンク１０２へ戻されるようになっている。
【０００５】
また、燃料潤滑式ディーゼルエンジン１００は、筒内へ燃料を噴射する噴射系１１４へ燃料を供給する燃焼系燃料循環回路１１３を有している。この燃焼系燃料循環回路１１３には、前記潤滑系燃料循環回路１０８と共通の冷却器１１２、フィルタ１１５、噴射ポンプ１１６が配設されており、噴射ポンプ１１６を駆動することにより燃料をリザーバタンク１０２から吸い上げて噴射系１１４へ供給している。噴射系１１４に供給された燃料のうち、燃焼に供されなかった燃料は再びリザーバタンク１０２へ戻される。
【０００６】
すなわち、このような燃料潤滑式ディーゼルエンジン１００は、供給ポンプ１０５により燃料を一旦燃料タンク１０１からリザーバタンク１０２へ供給し、その燃料をリザーバタンク１０２からエンジン各部１０７、噴射系１１４へ供給する構成となっている。
【特許文献１】実開昭６０−１９４１１２号公報
【発明の開示】
【発明が解決しようとする課題】
【０００７】
しかしながら、前記軽油潤滑式ディーゼルエンジン１００のように、燃料タンクから一旦他のタンクへ供給した燃料を噴射系へ供給する構成は、一旦エンジン各部や噴射系に供給された後のリターン燃料による燃料の汚染、温度上昇を回避する上で有効であるが、その一方で、以下のような不都合が生じるおそれがある。まず、このようなエンジンの給油は燃料タンクへの燃料補給という形で行われる。また、他のタンク内の燃料量は潤滑油がエンジン内の各摺動部に行き渡らなくなることに起因するエンジンの焼き付きを防止するために適正な燃料量を保っておく必要があり、他のタンク内の燃料量を適正に保つためには供給ポンプの駆動制御を行うことが考えられる。ここで、供給ポンプの駆動制御は、他のタンクに装着したオイルレベルセンサからその検出値を得て、他のタンク内の燃料量が適正となるように行われる。
【０００８】
ところが、傾斜地に位置している等、車両が傾いた状態となっていたり、エンジン始動直後に燃料リターンが遅れたりすることによりオイルレベルセンサの検出が正確でない場合が想定される。このようにオイルレベルセンサの検出が正確でない場合に供給ポンプの駆動制御が行われると、他のタンク内の燃料量が適正量を越えてしまうことがある。
他のタンク内の燃料量が適正量を越えてしまった場合に、エンジン回転数が高い状態であれば順次噴射系で消費されるため、徐々に適正量に近づく。
しかし、エンジンの無噴射状態や低噴射状態が継続するとタンク内の燃料がなかなか消費されずタンク内の燃料量過多の状態が解消され難い。タンク内の燃料量が多い状態は、例えばタンクがシリンダブロックの下側に装着されるオイルパン形式である場合にはクランクシャフトが油面に浸ってしまい撹拌による回転抵抗が増したり、燃料を泡立たせ、エア混入の原因となったりする。
【０００９】
そこで、本発明は、タンク内の燃料量が過剰な状態となったときであっても瞬時に燃料レベルを低下させ、このような状態を解消することのできるオイルタンク油量制御装置を提供することを課題とする。
【課題を解決するための手段】
【００１０】
かかる課題を達成するための、本発明のオイルタンク油量制御装置は、供給ポンプにより燃料タンクからオイルタンクへ燃料を供給する燃料供給経路と、潤滑ポンプにより前記オイルタンクからエンジン潤滑系へ燃料を供給する潤滑系燃料供給経路と、噴射ポンプにより前記オイルタンクから噴射系へ燃料を供給する噴射系燃料供給経路と、前記噴射系燃料供給経路に供給した後の噴射系リターン燃料を燃料タンクへ戻す噴射系燃料リターン経路と、を備えた軽油等燃料潤滑ディーゼルエンジンのオイルタンク油量制御装置であって、前記噴射系燃料供給経路と前記噴射系燃料リターン経路とを接続して前記噴射系をバイパスするバイパス経路と、当該バイパス経路への燃料の流入を制御する開閉弁と、前記オイルタンク内の油量を検知するオイルレベルセンサと、当該オイルレベルセンサの検出値に基づいて前記開閉弁の開閉制御を行う開閉弁制御手段と、を備えたことを特徴とする（請求項１）。このような構成として、オイルタンク内の油量が適正量の範囲を越えてしまったときに開閉弁を開弁状態として噴射ポンプにより吸い上げられた燃料を噴射系燃料リターン経路へ戻すことにより迅速にオイルタンク内の燃料量の減少を図ることができる。
【００１１】
このようなオイルタンク油量制御装置では、前記バイパス通路は、前記噴射ポンプ内に組み込まれた低圧ポンプの下流から分岐している構成とすることができる（請求項２）。燃料をバイパス通路へ流すために他のポンプを装着することは非効率的であるから既存のポンプを用いるようにしたものである。このような観点からは、潤滑ポンプを利用することも考えられるが、潤滑ポンプからバイパスさせた場合の圧送不良に起因する潤滑不良を考慮して噴射ポンプを利用することが望ましい。また、噴射ポンプは、低圧ポンプと、この低圧ポンプにより昇圧した燃料をさらに昇圧させる高圧ポンプを備えているが、低圧ポンプの下流から分岐させることで各部の油圧の不安定を招くことなく燃料をバイパス通路に流すことができる。
【００１２】
なお、このようなオイルタンク油量制御装置では、燃料レベルが過剰上昇していると共にインジェクションからの噴射量が少量である低噴射時に油量制御を行うことが望ましい。これは、高噴射時であればその噴射自体のみで速やかに燃料レベルを下降させることができるためである。また、低圧ポンプの下流から分岐させる構成とした場合に低圧ポンプ後のフィード圧が不安定となることが懸念されるためである。
【００１３】
本発明の他のオイルタンク油量制御装置は、供給ポンプにより燃料タンクからオイルタンクへ燃料を供給する燃料供給経路と、潤滑ポンプにより前記オイルタンクからエンジン潤滑系へ燃料を供給する潤滑系燃料供給経路と、噴射ポンプにより前記オイルタンクから噴射系へ燃料を供給する噴射系燃料供給経路と、前記噴射系燃料供給経路に供給した後の噴射系リターン燃料を燃料タンクへ戻す噴射系燃料リターン経路と、を備えた軽油等燃料潤滑ディーゼルエンジンのオイルタンク油量制御装置であって、前記オイルタンク内の油量を検知するオイルレベルセンサと、前記噴射ポンプにより供給された高圧燃料を貯留するコモンレールに装着された減圧弁と、当該オイルレベルセンサの検出値に基づいて前記噴射ポンプの圧送量及び前記減圧弁からのリターン燃料量を制御するリターン燃料量制御手段と、を備えたことを特徴とする（請求項３）。このような構成とすれば、既存のエンジンの構成要素を利用しつつ、オイルタンク内の過剰な燃料を減少させることができる。ディーゼルエンジンは噴射ポンプからの高圧燃料を貯留し、インジェクションから高圧で燃料を噴射させるコモンレールを備えているものがあるが、本発明は、恣意的に噴射ポンプからコモンレールへ圧送する燃料量を増加させ、コモンレールからのリターン燃料を増すことによってオイルタンク内の燃料量を減少させることができる。
【００１４】
なお、このようなオイルタンク油量制御装置においても、前記のバイパス通路及び開閉弁を備えたオイルタンク油量制御装置と同様に、燃料レベルが過剰上昇していると共にインジェクションからの噴射量が少量である低噴射時に油量制御を行うことが望ましい。これは、高噴射時であればその噴射自体で速やかに燃料レベルを低下させることができるためであり、また、高噴射時を制御対象とすることによりコモンレールに対するポンプ圧送能力が不足することが懸念されるためである。
【００１５】
次に、本発明の軽油等燃料潤滑ディーゼルエンジンは、軽油等の燃料を潤滑剤として兼用し、供給ポンプにより燃料タンクからオイルタンクへ燃料を供給する燃料供給経路と、潤滑ポンプにより前記オイルタンクからエンジン潤滑系へ燃料を供給する潤滑系燃料供給経路と、噴射ポンプにより前記オイルタンクから噴射系へ燃料を供給する噴射系燃料供給経路と、前記噴射系燃料供給経路に供給した後の噴射系リターン燃料を燃料タンクへ戻す噴射系燃料リターン経路と、を備えると共に、前記のようなオイルタンク油量制御装置を備えたことを特徴とする（請求項４）。このような軽油等燃料潤滑ディーゼルエンジンであればオイルタンク内の過剰な燃料を迅速に減少させることができる。
【発明の効果】
【００１６】
本発明によれば、オイルタンク内の油量が適正量を超えた場合に燃料をバイパス通路に流し、又は、リターン燃料が増加するように噴射ポンプの圧送量を増加させるようにしたので、オイルタンク内の油量が適正範囲を越えて増加した場合であっても速やかに燃料レベルを低下させることができる。
【発明を実施するための最良の形態】
【００１７】
以下、本発明を実施するための最良の形態を図面と共に詳細に説明する。
【実施例１】
【００１８】
図１は、本発明のオイルタンク油量制御装置を搭載した軽油等燃料潤滑ディーゼルエンジン（以下、「エンジン」という）１の概略構成を示した説明図である。エンジン１は、燃料タンク２、オイルパン３を備えている。燃料タンク２とオイルパン３とは燃料供給経路４によって連通している。この燃料供給経路４にはセジメンタ５、電動の供給ポンプ６が配設されており、この供給ポンプ６により燃料タンク２からオイルパン３へ燃料が供給されるようになっている。ここで、オイルパン３は、本発明におけるオイルタンクに相当するものであり、シリンダブロックの下部に一体的に設けられたものを指すが、別置きのオイルタンクであってもよい。
【００１９】
エンジン１は、潤滑剤の供給を必要とするエンジン潤滑系７へ潤滑剤としての燃料を供給する潤滑系燃料供給経路８を有している。この潤滑系燃料供給経路８にはフィルタ９、５０ｋＰａ程度の圧力で燃料を圧送可能な潤滑ポンプ１０が配設されており、潤滑ポンプ１０を駆動することにより燃料をオイルパン３から吸い上げてエンジン潤滑系７へ供給している。また、エンジン１は、潤滑系燃料供給経路８を通じてエンジン潤滑系７へ供給された燃料をオイルパン３へ戻す潤滑系燃料リターン経路１１を有している。
【００２０】
さらに、エンジン１は、筒内へ燃料を噴射する噴射系１２へ燃料を供給する噴射系燃料供給経路１３を有している。この噴射系燃料供給経路１３には、フィルタ１４、高圧で燃料を圧送可能な噴射ポンプ１５が配設されており、噴射ポンプ１５を駆動することにより燃料をオイルパン３から吸い上げて噴射系１２へ供給している。この噴射系１２にはコモンレール１２ａ、インジェクタ１２ｂが含まれ、噴射ポンプ１５はコモンレール１２ａへ高圧の燃料を供給する。図２は、噴射ポンプの概略構成を示した模式図であるが、噴射ポンプ１５は低圧ポンプ１５ａと高圧ポンプ１５ｂとを組み合わせ、さらに、低圧ポンプ１５ａの下流側に高圧ポンプ１５ｂの吸入量を調整するソレノイド弁１５ｃを備えている。このソレノイド弁１５ｃの開度を調整して高圧ポンプ１５ｂの吸入量の調整をし、レール圧の変更、調整を行う。また、低圧ポンプ１５ａの下流には本流から分岐し、後述するバイパス通路１９へ接続されるリターン燃料排出口１５ｄが設けられている。
【００２１】
また、エンジン１は噴射系燃料供給経路１３を通じて噴射系１２へ供給された後の噴射系リターン燃料を燃料タンク２へ戻す噴射系燃料リターン経路１６を有している。噴射系リターン燃料は、低圧ポンプ１５ａやコモンレール１２ａおよびインジェクタ１２ｂの各々から戻されるリターン燃料を指す。この噴射系リターン燃料経路１６には噴射ポンプ１５の低圧ポンプ１５ａの下流から分岐したリターン燃料排出口１５ｄとを結ぶバイパス通路１９が接続されている。バイパス通路１９にはこのバイパス通路１９への燃料の流入を調整する電磁弁である開閉弁２０が設置されている。
【００２２】
さらに、エンジン１は、オイルパン３に装着したオイルレベルセンサ１７を備えている。また、エンジン１は、本発明における開閉弁制御手段の機能を有するＥＣＵ１８を備えている。このＥＣＵ１８は各部の制御を行うものであり、開閉弁２０、供給ポンプ６、オイルレベルセンサ１７、ソレノイド弁１５ｃ、さらには、回転数センサ２１、水温センサ２２、吸気温センサ２３、油温センサ２４、アクセル開度センサ２５に接続されている。
【００２３】
以上、説明したこれの構成要素のうち、バイパス経路１９、開閉弁２０、オイルレベルセンサ１７、開閉弁制御手段に相当するＥＣＵ１８が本発明のオイルタンク油量制御装置の主要な部分を構成している。
【００２４】
以上のように構成されるエンジン１は、供給ポンプ６により燃料タンク２からオイルパン３内に供給された燃料が、潤滑ポンプ１０によりエンジン潤滑系７に供給され、噴射ポンプ１５により噴射系１２に供給される。すなわち、エンジン潤滑系７、噴射系１２にはオイルタンク３内の燃料が供給される。ＥＣＵ１８は、回転数センサ２１等から取得した各種データに基づいてソレノイド弁１５ｃの開度調整を行う。供給ポンプ６は、オイルレベルセンサ１７の検出値に基づくＥＣＵ１８からの指令基づいてオイルパン３内の油量が適正範囲内に収まるように駆動される。但し、車両が傾斜地に位置している等の理由から供給ポンプ６からの燃料供給量が多すぎ、オイルパン３内の油量が適正範囲を越えてしまうことがある。
【００２５】
ここで、このようなオイルタンク油量制御装置の動作につき、図３に示したフロー図に基づいて説明する。まず、ステップＳ１１でＥＣＵ１８はオイルレベルセンサ１７の上側がＯＮとなった状態、すなわち、オイルパン３内の油量が適正量を超えたか否かの判断をする。ここで、Ｙｅｓと判断したとき、すなわちオイルパン３内の適正油量を越えていると判断したときはステップＳ１２へ進む。ステップＳ１２では、ＥＣＵ１８はインジェクタ１２ｂからの燃料の噴射量が条件判定値Ｑｐよりも多いか否かを判断する。この条件判定値Ｑｐは、低圧ポンプ１５ａの幾何学的容量、高圧ポンプ１５ｂの幾何学的容量フィード圧から予め定められた値で、噴射量がこの条件判定値Ｑｐよりも少ないときはオイルパン３内のオイル（燃料）を迅速に消費することができないと判断される値である。ステップＳ１２でＹｅｓと判断されたときはステップＳ１３へ進み、ＥＣＵ１８は開閉弁２０に対し開弁指令を発する。これにより、噴射ポンプ１５により吸い上げられたオイルパン３内の余剰の燃料がバイパス通路１９を通じて噴射系リターン燃料経路１６へ放出され、オイルパン３内の油量が減少、燃料レベルが低下して適正範囲内に収まるようになる。
【００２６】
一方、ステップＳ１１、ステップＳ１２でＮｏと判断されたときはいずれの場合もＥＣＵ１８は、開閉弁２０に対する閉弁指令を継続する。すなわち、ステップＳ１１でＮｏと判断される場合はオイルパン３内の油量は適正範囲を越えていないことから開閉弁２０による油量制御を行う必要がなく、ステップＳ１２でＮｏと判断されたときは噴射量が多いことから開閉弁２０を開弁させることなくオイルパン３内の燃料を消費、減少させることができる。
【実施例２】
【００２７】
次に、本発明の実施例２について説明する。図４は、実施例２のオイルタンク油量制御装置を搭載したエンジン３０の概略構成を示した説明図である。実施例２のエンジン３０が、実施例１のエンジン１と異なる点は、実施例２のエンジン３０は、実施例１のエンジン１が備えていたバイパス通路１９及び開閉弁２０を備えていない点である。また、実施例２のエンジン３０では、ＥＣＵ１８がコモンレール１２ａに装着された減圧弁１２ａ１も制御対象としている点で、実施例１のエンジン１、オイルタンク油量制御装置と異なっている。すなわち、実施例２の特徴は、噴射ポンプ１５内のソレノイド弁１５ｃと、通常、コモンレールが備えている減圧弁１２ａ１を制御することによってオイルパン３内の燃料レベルを低下させることである。なお、他の構成については実施例１のエンジン１と同様であるので、共通する構成要素については図面中、同一の参照番号を付し、その詳細な説明は省略する。
【００２８】
このようなオイルタンク油量制御装置の動作につき、図５に示したフロー図に基づいて説明する。まず、ステップＳ２１でＥＣＵ１８はオイルレベルセンサ１７の上側がＯＮとなった状態、すなわち、オイルパン３内の油量が適正量を超えたか否かの判断をする。ここで、Ｙｅｓと判断したとき、すなわちオイルパン３内の適正油量を越えていると判断したときはステップＳ２２へ進む。ステップＳ２２ではＥＣＵ１８は、噴射ポンプ１５の圧送量が通常制御量＋Ｑｅとなるようにソレノイド弁１５ｃの制御を行う。ここで、通常制御量は、エンジン３０を適切に稼働させるために燃焼に供される燃料の量である。すなわち、オイルタンク油量制御装置による制御が行われない場合に噴射ポンプ１５により圧送される燃料の量である。一方、Ｑｅは、過圧送量であり、リターン燃料として燃料タンク２に戻される燃料の量である。この過圧送量Ｑｅは、噴射ポンプ１５の圧送最大値、減圧弁１２ａ１の最大流量、圧力制性等から予め定められた値である。
【００２９】
このようなステップＳ２２に続くステップＳ２３では、ＥＣＵ１８は、減圧弁１２ａ１に対し減圧弁流量がＱｅとなるような開弁指令を行う。これにより、過圧送量Ｑｅ分の燃料が燃料タンク２へ戻され、オイルパン３内の燃料レベルを低下させることができる。
【００３０】
一方、ステップＳ２１でＮｏと判断されたときはステップＳ２５へ進んで通常のポンプ制御、減圧弁制御を行う。
【００３１】
以上のような制御を行うことにより、従来のハード構成を利用してオイルパン３内の燃料レベルを低下させることができる。
【００３２】
上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【図面の簡単な説明】
【００３３】
【図１】実施例１のオイルタンク油量制御装置を搭載したエンジンの概略構成を示した説明図である。
【図２】噴射ポンプの概略構成を示した説明図である。
【図３】実施例１におけるオイルタンク油量制御のフロー図である。
【図４】実施例２のオイルタンク油量制御装置を搭載したエンジンの概略構成を示した説明図である。
【図５】実施例２における燃料供給制御のフロー図である。
【図６】従来の燃料潤滑式ディーゼルエンジンの主として燃料供給部分の概略構成を示した説明図である。
【符号の説明】
【００３４】
１、３０  エンジン
２  燃料タンク
３  オイルパン
４  燃料供給経路
５  セジメンタ
６  供給ポンプ
７  エンジン潤滑系
８  潤滑系燃料供給経路
９、１４  フィルタ
１０  潤滑ポンプ
１１  潤滑系燃料リターン経路
１２  噴射系
１２ａ  コモンレール
１２ａ１  減圧弁
１２ｂ  インジェクタ
１３  噴射系燃料供給経路
１５  噴射ポンプ
１５ａ  低圧ポンプ
１５ｂ  高圧ポンプ
１５ｃ  ソレノイド弁
１６  噴射系燃料リターン経路
１７  オイルレベルセンサ
１８  ＥＣＵ
１９  バイパス通路
２０  開閉弁
【図１】
2007113499.tif 000003
【図２】
2007113499.tif 000004
【図３】
2007113499.tif 000005
【図４】
2007113499.tif 000006
【図５】
2007113499.tif 000007
【図６】
2007113499.tif 000008